【手続補正書】
【提出日】平成17年1月31日(2005.1.31)
【手続補正１】
【補正対象書類名】明細書
【補正対象項目名】発明の名称
【補正方法】変更
【補正の内容】
【発明の名称】開放警告装置
【手続補正２】
【補正対象書類名】明細書
【補正対象項目名】特許請求の範囲
【補正方法】変更
【補正の内容】
【特許請求の範囲】
【請求項１】
遊技機の閉鎖時にはオフで開放されるとオンに切り替わる開放検出スイッチと、該開放検出スイッチがオンになったことに起因して点灯される警告灯とを備える開放警告装置において、
前記開放検出スイッチと並列に配されて、前記開放警告装置の電源が入っているときに充電され、該開放警告装置の電源が切られているときに前記開放検出スイッチがオンにされると前記開放検出スイッチを通る経路で放電されるコンデンサと、
該コンデンサが充電されているときには前記警告灯への電流を遮断し、該コンデンサが放電状態のときに前記警告灯に通電するスイッチ回路と
を備えたことを特徴とする開放警告装置。
【請求項２】
請求項１記載の開放警告装置において、
遊技機の背後に配されて遊技機の閉鎖時には遊技機の扉部材に取り付けられた部品によって押圧されて傾斜姿勢となり、該押圧が解除されると垂下姿勢となる開閉検出体と、
該開閉検出体が前記傾斜姿勢にあるときにはオフになり前記垂下姿勢になるとオンになる前記開放検出スイッチと
を備えたことを特徴とする開放警告装置。
【請求項３】
請求項２記載の開放警告装置において、
前記遊技機はパチンコ機であり、
前記開閉検出体に前記押圧力を及ぼす部品は遊技球タンクである
ことを特徴とする開放警告装置。
【手続補正３】
【補正対象書類名】明細書
【補正対象項目名】０００６
【補正方法】変更
【補正の内容】
【０００６】
【課題を解決するための手段および発明の効果】
上記課題を解決するための請求項１記載の開放警告装置は、遊技機の閉鎖時にはオフで開放されるとオンに切り替わる開放検出スイッチと、該開放検出スイッチがオンになったことに起因して点灯される警告灯とを備える開放警告装置において、
前記開放検出スイッチと並列に配されて、前記開放警告装置の電源が入っているときに充電され、該開放警告装置の電源が切られているときに前記開放検出スイッチがオンにされると前記開放検出スイッチを通る経路で放電されるコンデンサと、
該コンデンサが充電されているときには前記警告灯への電流を遮断し、該コンデンサが放電状態のときに前記警告灯に通電するスイッチ回路と
を備えたことを特徴とする。
【手続補正４】
【補正対象書類名】明細書
【補正対象項目名】０００７
【補正方法】変更
【補正の内容】
【０００７】
コンデンサは、開放警告装置の電源が入っているときつまり稼働中に充電され、これが非検出状態に該当する。そして、コンデンサの電荷は開放警告装置の電源が遮断されてからも保持されるが、開放検出スイッチがオンにされるとコンデンサの両端子が短絡されるので電荷が放電され、検出状態になる。この後開放検出スイッチがオンに戻されても電源が入っていないのでコンデンサは充電されない（非検出状態には復帰しない）。
【手続補正５】
【補正対象書類名】明細書
【補正対象項目名】０００８
【補正方法】変更
【補正の内容】
【０００８】
そして、開放警告装置の電源投入時（遊技店の開店準備で電源が投入されたとき）にコンデンサが放電されていると、スイッチ回路が警告灯に通電して点灯させるので、電源投入時に警告灯を観察すれば遊技機が開放されたか否かを確認できる。
【手続補正６】
【補正対象書類名】明細書
【補正対象項目名】００１０
【補正方法】変更
【補正の内容】
【００１０】
なお、言うまでもないことであるが、具体的な不正行為を特定できるわけではない。しかし、遊技機が開放されたことは分かるから、その遊技機を使用できないようにしたり、詳細に点検する等の適切な対策が可能である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２記載の開放警告装置は、請求項１記載の開放警告装置において、遊技機の背後に配されて遊技機の閉鎖時には遊技機の扉部材に取り付けられた部品によって押圧されて傾斜姿勢となり、該押圧が解除されると垂下姿勢となる開閉検出体と、該開閉検出体が前記傾斜姿勢にあるときにはオフになり前記垂下姿勢になるとオンになる前記開放検出スイッチとを備えることを特徴とする。
【手続補正１０】
【補正対象書類名】明細書
【補正対象項目名】００１４
【補正方法】変更
【補正の内容】
【００１４】
この開放検出体は遊技機の背後に配されるので、遊技機と別体とする（例えば遊技機設置島の付属装置とする）ことが可能であり、遊技機の入れ替え毎に着脱したり配線しなおす必要がなくなる。
開閉検出体は、遊技機の閉鎖時には遊技機の扉部材（例えば前面枠や中枠）に取り付けられた部品によって押圧されて傾斜姿勢となり、その押圧が解除されると垂下姿勢となり、傾斜姿勢にあるときには開放検出スイッチをオフに、垂下姿勢になると開放検出スイッチをオンにさせる。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項３記載の開放警告装置は、請求項２記載の開放警告装置において、前記遊技機はパチンコ機であり、前記開閉検出体に前記押圧力を及ぼす部品は遊技球タンクであることを特徴とする。パチンコ機（アレンジボール式パチンコ機も含む）の遊技球タンク（賞球タンク）は前面枠または中枠の背面側のしかも上部に装着されている。つまり、遊技球タンクはパチンコ機の外枠の上辺や遊技機設置島のいわゆる鴨居からの距離が近いから、外枠や鴨居に開放警告装置を装着すれば、開閉検出体は小型で済む。また、開放警告装置を外枠や鴨居に装着すれば、警告灯（通常は鴨居に取り付けられる。）との配線距離も短くて済む。
【手続補正１３】
【補正対象書類名】明細書
【補正対象項目名】００２８
【補正方法】変更
【補正の内容】
【００２８】
この後前面枠２７を閉じると開放検出スイッチＳＷ１が開（オフ）になるが、開放検出スイッチＳＷ１が閉（オン）になったときにコンデンサＣ１が放電しているので、これに充電される。この充電には、コンデンサＣ１の容量と抵抗Ｒ２、Ｒ３の抵抗値によって異なるが、適宜の時間例えば１秒とか２秒程度かかる。したがって、この間は反転回路Ｉｎｖの入力側は、抵抗Ｒ２と抵抗Ｒ３にて分圧された電位になるが、抵抗Ｒ３の抵抗値を抵抗Ｒ２に比べて十分に大きく設定してあるので、反転回路Ｉｎｖの入力側はローレベルとなる。すると、その出力がハイレベルとなるのでトランジスタＴＲはオンになる。これにより、発光ダイオードＬＥＤ１からトランジスタＴＲを通って電流が流れて、発光ダイオードＬＥＤ１が点灯する。つまり、前面枠２７を閉じた後、例えば１秒程度の間発光ダイオードＬＥＤ１が点灯してしまう。
【手続補正１４】
【補正対象書類名】明細書
【補正対象項目名】００２９
【補正方法】変更
【補正の内容】
【００２９】
これが好ましくない場合に対処するためにリセットスイッチＳＷ２を設けてある。すなわち、リセットスイッチＳＷ２をオンにすれば、直流電源Ｖｃｃからの電流が抵抗Ｒ３をバイパスして急速にコンデンサＣ１を充電させるので、発光ダイオードＬＥＤ１は即座に消灯する。
【手続補正１５】
【補正対象書類名】明細書
【補正対象項目名】００３３
【補正方法】変更
【補正の内容】
【００３３】
そして、次の営業日を迎えて遊技機設置島２０の電源が入れられると、直流電源Ｖｃｃからの電荷によってコンデンサＣ１が充電される。この充電には、前述のように例えば１秒とか２秒程度かかるので、この間は反転回路Ｉｎｖの入力側は、抵抗Ｒ２と抵抗Ｒ３にて分圧された電位になるが、抵抗Ｒ３の抵抗値を抵抗Ｒ２に比べて十分に大きく設定してあるので、反転回路Ｉｎｖの入力側はローレベル、その出力側がハイレベルとなる。これによりトランジスタＴＲがオンになり、発光ダイオードＬＥＤ１からトランジスタＴＲを通って電流が流れて、発光ダイオードＬＥＤ１が点灯する。つまり、開店準備で遊技機設置島２０の電源を入れたときに、例えば１〜２秒程度の間発光ダイオードＬＥＤ１が点灯する。